(57)【要約】【課題】本発明は、一定流量の出水の継続化が図れる緊急用浄化装置を提供する。【解決手段】本発明の緊急用浄化装置は、圧力・流量センサー５５および制御部５８を用いて、浄水器４０から二次側の圧力が一定になる構成にして、浄水器４０が詰まり始めても、浄水器４０における処理流量の低下が抑えられるようにした。【選択図】      図４
2006122832.tif 000002
【特許請求の範囲】
【請求項１】
水源地から原水を取水する取水ポンプと、同取水ポンプで取水された原水を浄化する浄化ユニットとを有し、
前記浄化ユニットが、
前記取水ポンプからの吐出水が流入する流入口と、処理を終えた水を出水するための出水部との間を連通する流路と、
前記流路に設けられ、前記流入口からの原水を浄水する浄水器と、
前記浄水器の二次側に設けられ前記浄水器への逆流を阻止する逆止弁と
前記浄水器から二次側の流路部分の流量を検出する流量センサーと、
前記浄水器から二次側の流路部分の圧力を検出する圧力センサーと、
前記流量センサーの流量信号にしたがい前記取水ポンプの起動・停止を制御し、前記圧力センサーの圧力信号にしたがい前記取水ポンプの運転能力を前記浄水器から二次側の圧力が一定となるように制御する制御手段と、
前記浄水器で処理された処理水へ薬液を注入して滅菌する滅菌器と
を有して構成される
ことを特徴とする緊急用浄化装置。
【請求項２】
前記取水ポンプは、水源地の原水に浸漬して使用される水中ポンプであることを特徴とする請求項1に記載の緊急用浄化装置。
【請求項３】
前記水中ポンプの吸込口は、複数重のフィルタ部で覆われていることを特徴とする請求項２に記載の緊急用浄化装置。
【請求項４】
前記出水部の上流側には、滅菌を終えた処理水をろ過するマイクロろ過装置が設けられることを特徴とする請求項１ないし請求項３のいずれ一つに記載の緊急用浄化装置。
【請求項５】
前記マイクロろ過装置は、流入・出部を有するフィルタハウジングの内部にフィルタカートリッジを交換可能に収めて構成される複数のマイクロろ過器と、各マイクロろ過器の流入部が前記滅菌器の薬液注入部から下流側の流路部分に並列に接続される接続部とを有し、各マイクロろ過器の流出部にそれぞれ独立して前記出水部が設けられ、前記出水部から出水される処理水の水質が、前記フィルタカートリッジの有・無により切り換え可能な構成にしてあることを特徴とする請求項４に記載の緊急用浄化装置。
【請求項６】
前記流路には、前記逆止弁をバイパスするように前記流路から分岐するバイパス路と、このバイパス路に介装された手動操作式ポンプと、前記バイパス路に設けられ前記手動操作式ポンプへ処理水を導くための流路切換えを行なう切換手段とを有してなる手動式ポンプ装置が設けられることを特徴とする請求項１ないし請求項５のいずれか一つに記載の緊急用浄化装置。
【発明の詳細な説明】
【技術分野】
【０００１】
本発明は、地震などの災害時に飲料水や生活用水を確保するために用いられる緊急用浄化装置に関する。
【背景技術】
【０００２】
地震、水害、台風などの災害時は、ライフラインが支障をきたして、飲料水や生活用水の供給が十分にできなくことがある。
【０００３】
緊急用浄化装置は、このような場合、緊急の措置として、現場近くの貯水槽、学校のプール、池などを水源地として、同水源地の水の水質を、飲料水や生活用水として使用可能な水に浄化するものである。この緊急用浄化装置には、原水を取水する取水ポンプと、取水された原水を浄化する浄化ユニットとを組み合わせた構成が用いられている。
【０００４】
従来、このような緊急用浄化装置の取水ポンプには、一定の回転数で運転し続ける汎用ポンプが用いられ、浄化ユニットには、主に浄水器と滅菌器とを組み合わせた構成が用いられている。具体的には、従来の緊急用浄化装置は、取水ポンプの一定能力運転により、貯水槽、学校のプール、池などから原水を取水し、この原水を浄水器で浄水し、この浄水した水に薬液の注入で滅菌処理を施して、原水を飲料水、生活用水に適した水質に浄化してから、出水部となる蛇口から出水させる構造が用いられていた。
【発明の開示】
【発明が解決しようとする課題】
【０００５】
ところで、浄水器は、浄水性能に余裕があるので、ごみや濁度成分でかなり詰まりが生じても、求められる浄水性能は十分に確保される。しかし、取水ポンプは、一定の回転数で運転し続けるだけなので、原水に含まれるごみや濁度成分の除去により、浄水器が詰まり始めると、流通抵抗の増加から、浄水器の処理流量が低下する。特に原水は、貯水槽やプールや池など、ごみや濁度成分を多く含む水の場合が多いので、浄水器の詰まりが発生しやく、出水部から一定な出水流量が確保できなくなる問題がある。
【０００６】
そこで、本発明の目的は、一定流量の出水の継続化が図れる緊急用浄化装置を提供することにある。
【課題を解決するための手段】
【０００７】
請求項１に記載の発明は、上記目的を達成するために、流量センサー、圧力センサーおよび制御手段を用いて、浄水器から二次側の圧力が一定になる構成にして、浄水器が詰まり始めても、浄水器における処理流量の低下が抑えられるようにした。
【０００８】
請求項２に記載の発明は、上記目的に加え、原水の取水を行なう場所から、どのように離れた地点でも浄化が行なえるよう、取水ポンプには水中ポンプを採用した。
【０００９】
請求項３に記載の発明は、上記目的に加え、水中ポンプと浄水器の負担が軽減されるよう、水中ポンプの吸込口は、複数重のフィルタ部で覆われる構成とした。
【００１０】
請求項４に記載の発明は、上記目的に加え、より優れた水質の水が得られるよう、出水部の上流側に、滅菌を終えた処理水をろ過するマイクロろ過装置を設けた構成とした。
【００１１】
請求項５に記載の発明は、上記目的に加え、フィルタカートリッジの寿命に配慮しながら、飲料水と生活用水といった利用状況に合わせて、水質の切換えが行なえるよう、マイクロろ過装置には、フィルタハウジングの内部にフィルタカートリッジを交換可能に収めて構成される複数のマイクロろ過器と、各マイクロろ過器の流入部を滅菌器の薬液注入部から下流側の流路部分に並列に接続する接続部とを有し、各マイクロろ過器の流出部にそれぞれ独立して出水部が設けられる構成を採用して、出水部から出水される処理水の水質が、フィルタカートリッジの有・無により切り換えられるようにした。
【００１２】
請求項６に記載の発明は、上記目的に加え、非常電源や水中ポンプが故障したとき、応急的に処理水が確保されるよう、流路に、逆流防止用の逆止弁をバイパスするように設けたバイパス路、該バイパス路に介装された手動操作式ポンプ、同バイパス路に設けた流路切換え用の切換手段を有してなる手動式ポンプ装置を組み付けた。
【発明の効果】
【００１３】
請求項１に記載の発明によれば、たとえ浄水器がごみや濁度成分などで詰まっても、浄水器の浄水能力が有る間は、出水部から一定な出水流量が確保できる。
【００１４】
それ故、災害時の救済に大きく貢献できる。
【００１５】
請求項２に記載の発明によれば、上記効果に加え、水源地からは、吐出圧が加わった原水が圧送されるから、浄化ユニットが配置される地点が、水源地からどのように離れていても、十分な取水量が確保できる。
【００１６】
請求項３に記載の発明によれば、上記効果に加え、複数重のフィルタ部により、水中ポンプの吸込口へ吸い込まれる異物が減少するので、水中ポンプと浄水器の負担が軽減できる。
【００１７】
請求項４に記載の発明によれば、上記効果に加え、マイクロろ過装置の追加により、より優れた水質の水が確保できる。しかも、マイクロろ過装置は、滅菌を終えた処理水をろ過するよう出水部の上流側に設けてあるので、たとえ浄化ユニットの運転が停止してマイクロろ過装置に長時間、処理水が滞留することがあっても、滞留した処理水は滅菌処理された水なので、滞留した水が雑菌の影響を受けることはなく、衛生上に優れた出水が約束できる。
【００１８】
請求項５に記載の発明によれば、上記効果に加え、容易に寿命の有るマイクロろ過器のフィルタカートリッジの寿命をできる限り長く利用しつつ、飲料水に適した水や、飲料水よりも水質が低く生活用水に適した水を得ることができる。
【００１９】
請求項６に記載の発明によれば、上記効果に加え、たとえ水中ポンプの故障や非常用電源の停電などにより、水中ポンプによる取水ができなくなったとしても、現地で手動操作式ポンプを手動操作することにより、原水の取水、該原水の浄化ができ、応急的に必要な水の確保ができる。しかも、手動ポンプは、逆流防止用の逆止弁をバイパスさせてあるので、手動ポンプの切り換えは、浄水器の二次側に有る逆流防止用の逆止弁が流路切り替え弁として機能するようになり、切換えに必要な弁などは最小限に抑えられ、コスト的に安価ですむ。
【発明を実施するための最良の形態】
【００２０】
［一実施形態］
以下、本発明を図１〜図７に示す一実施形態にもとづいて説明する。
【００２１】
図１は緊急用浄化装置の全体の概略を示している。図１に示されるように緊急用浄化装置１は、取水ポンプとしての水中ポンプ２と、地上に配置される浄化ユニット３０とを組み合わせた構成が用いてある。
【００２２】
このうちの水中ポンプ２は、図２に示されるように例えば下部に水中モータ３を配置し、同水中モータ３の上部に多段ポンプ部４を直列に組み付けて細長に形成されている。多段ポンプ部４は、下部（水中モータ３側）外周面に吸込口５（図２中に破線でしか図示せず）を有し、上部に吐出口体９（吐出口を形成するもの）を有している。そして、吸込口５が複数重のフィルタ部１０で覆ってある。具体的には、例えばフィルタ部１０は、吸込口５を囲う環状のスクリーン部材１１（ストレーナー）と、水中モータ３から多段ポンプ部４までの周囲を覆う袋状のネット部材１２（プレフィルタ）とが用いられている。スクリーン部材１１は、小孔群１１ａを有し、ネット部材１２は、小孔群１１ａより、粗い格子状の開口群１２ａを有して形成されていて、水中ポンプ２へ吸い込まれる木の葉など大小の異物が合理的に取り除けるようにしている。また水中ポンプ２の吐出口体９には、長尺なホース部材、例えばチャッキングユニット１４ａが端部に付いた耐圧ホース１４が接続される構成となっている。これにより、水中ポンプ２は、災害時、図１に示されるように貯水槽、学校のプール、池など現地の臨時の水源地１３において、支え具、例えばロープ１５を用いて、耐圧ホース１４を接続したまま吊り下げて、水源地１３の貯溜水に浸漬させれば、同水源地１３から原水が取水されるようにしている。
【００２３】
一方、浄化ユニット３０は、図１に示されるように水中ポンプ２で出水された原水を受け入れる流入口３１と、処理を終えた水を出水するための出水部３２と、これら間をむすぶ流路３３と、同流路３３に介装された各機器、例えば浄水器４０、自動運転ユニット５０、滅菌器６０、マイクロろ過装置７０とを有している。
【００２４】
この浄化ユニット３０の全体の詳細が図３に示され、同装置の各部の詳細が図４〜図６に示されている。
【００２５】
図３〜図６を参照して浄化ユニット３０の各部を説明すると、図３〜図６中、１６は可搬台車である。可搬台車１６は、例えば左右に並ぶ一対の矩形枠形の安全柵１７の下部間に各種のベース部材１８を掛け渡し、安全柵１７の前後端間に一対の手摺部材２０を掛けし、ベース部材１８の下部に複数のキャスター２１を組み付けて構成される。
【００２６】
この可搬台車１６に浄化ユニット３０の各機器が搭載されている。各機器について説明すると、図３中３１ａは、可搬台車１６のベース部材１８の左側の最前部（一端部）に配置されたニップル部材３１ａを示し、３２ａはベース部材１８の左側の最前部（一端部）に配置された複数の蛇口３２ａ（ここでは例えば２つ）を示している。ニップル部材３１ａには、耐圧ホース１４の他端部が、ホース端に付いているチャッキングユニット１４ａを用いて着脱される。なお、ニップル部材３１ａは、浄化ユニット３０の流入口３１を形成する部品であり、各蛇口３２ａは、浄化ユニット３０の出水部３２を形成する部品である。可搬台車１６の左側部には、前部（手前側）から順に、浄水器４０、自動運転ユニット５０が設置されている。また可搬台車１６の右側には、手前部（手前側）から順に、マイクロろ過装置７０、滅菌器６０が設置されている。そして、ニップル部材３１ａには、浄水器４０、自動運転ユニット５０、滅菌器６０、マイクロろ過装置７０の順で接続されている。マイクロろ過装置７０は、最終の蛇口３２ａに接続され、各機器をニップル部材３１ａと蛇口３２ａとの間に形成される流路３３に介装させてある。
【００２７】
このうち、浄水器４０は、例えば図４および図５に示されるように前部に流入部４１ａを有し後部に流出部４１ｂを有するハウジング４１と、同ハウジング４１内に交換自在に収めた、ろ材、例えば不織布フィルタ４２ａ、活性炭フィルタ４２ｂとを備えて構成されている。そして、浄水器２５の流入部４１ａが、ニップル部材３１ａに接続され、水中ポンプ２から圧送される原水に含まれるごみなどの有機物や濁度成分が、不織布フィルタ４２ａ、活性炭フィルタ４２ｂを通過する間に除去されるようにしてある（浄水）。
【００２８】
自動運転ユニット５０は、例えば図４および図６に示されるように保護カバー５０ａ内に、センサーモジュール５１と制御ユニット５２とを収めて構成される。具体的には、例えばセンサーモジュール５１は、一端部に流入口部５２ａを有し、他端部に流出口部５２ｂを有したパイプ状部材５１ａに、上流側から、逆止弁５３、圧力・流量センサー部５５（流量センサーと圧力センサーとを一つにまとめたもの：本願の流量センサー、圧力センサーに相当）を内蔵させて構成される。なお、５４は、センサーモジュール５１の上流側のパイプ部分に組み付けられたアキュームレータを示す。そして、流入口部５２ａは浄水器４０の流出部４１ｂに接続され、圧力・流量センサー部５５により、浄水器４０から流出する二次側（下流側）の処理水の流量や圧力が検出されたり、逆止弁５３により、二次側から浄水器４０への逆流を阻止したりする構造にしてある。制御ユニット５２は、例えば水中ポンプ２の水中モータ３とつながるインバータ５６を有している（図４だけに一部図示）。また制御ユニット５２は、例えばマイクロマイクロコンピュータで構成される制御部５８を有している。この制御部５８には、圧力・流量センサー部５５から出力される圧力信号により、浄水器４０から二次側の圧力が予め定められた一定の圧力に保たれるよう、水中モータ３の運転回転数をインバータ制御する機能が設定されている。つまり、水中ポンプ３の運転能力は、制御部５８により、浄水器４０において一定の処理流量が保たれるよう制御される。また制御部５８には、圧力・流量センサー部５５から出力される流量信号にしたがい、水中ポンプ３の起動・停止を制御する機能も設定されている。こうした設定により、水中ポンプ３が、浄水器４０から下流側の流量情報や圧力情報により、自動で運転されるようにしている。
【００２９】
滅菌器６０は、例えば図４および図５に示されるように注入モジュール６１、滅菌用の薬液（例えば次亜塩素酸ナトリウムなど）が貯留された薬液タンク６２、例えばダイヤフラムポンプで形成された薬液注入ポンプ６３、制御部６４から、一つのユニットに構成してある。例えば注入モジュール６１は、一端部に流入口部６２ａを有し、他端部に流出口部６２ｂを有したパイプ状部材６１ａに、上流側から、流量センサー部６５、ヒータ部６５ａ、薬液注入部６６を組み付けて構成される。そして、流入口部６２ａが、配管部材６７を通じて、自動運転ユニット５０の流出口部５２ｂに接続してある。薬液注入ポンプ６３は、薬液タンク６２内に収まるように組み付けてある。そして、同ポンプ６３の吸込部６３ａが、ホース部材６８ａ（図５だけに図示）を介して、薬液タンク６２に接続される。また薬液注入ポンプ６３の吐出部６３ｂは、ホース部材６８ｂ（図５だけに図示）を介して、注入モジュール６１の薬液注入部６６に接続されていて、薬液注入ポンプ６３の運転により、薬液タンク６２内の薬液が、浄水器４０から流出する二次側の処理水に対して注入されるようにしている。制御部６４は、薬液タンク６２の表面に実装された電装部６４ａ（例えばマイクロコンピュータで構成されるもの）から構成される。この電装部６４ａには、流量センサー部６５で検出される処理水の流量に応じ薬液注入ポンプ６３の運転を制御して、適正な量の薬液を処理水に注入させる機能が設定されている。この注入される薬液で、処理水に含まれる一般細菌などが滅菌されるようにしている。
【００３０】
蛇口３２ａの直上流に配置されているマイクロろ過装置７０は、図３〜図５に示されるように複数、例えば二つのマイクロろ過器７１，７１を滅菌器６０の流出口部６２ｂに接続した構造が用いられている。すなわち、マイクロろ過器７１は、いずれも図５に示されるように縦置きされる縦長のフィルタハウジング７２内に、フィルタカートリッジとして精密ろ過膜、例えばＭＦフィルタ（例えば０．１μ程度のポリプロピレン製精密中空糸膜）７３を収容した構造が用いられる。具体的には、フィルタハウジング７２は、有底縦筒形の本体部７４と、同本体部７４の開口部に脱着自在に取り付けられたキャップ７５とを有して構成され、このうちの本体部７４内にＭＦフィルタ７３が内蔵させてある。キャップ７５には、ＭＦフィルタ７３に処理水を通過させるための流入口部７６ａ、流出口部７６ｂが設けられている。これら二つのマイクロろ過器７１，７１が、スタンド部材７６（図４および図５に一部しか図示せず）により、可搬台車１６の幅方向に並べて、該台車２６上に設置してある。各マイクロろ過器７１，７１の流入口部７６ａは、並列に組まれた配管部材７８（本願の接続部に相当）を介して、滅菌器６０の流出口部６２ｂに接続されている。この最終段に配置されたＭＦフィルタ７３により、滅菌処理を終えた処理水に含まれる微少な色度成分や有機物が取り除かれるようにしている。また各マイクロろ過器７１，７１の流出部７５ｂには、それぞれ独立して、蛇口３２ａが接続されていて、それぞれ個別の蛇口３２ａ，３２ａで、マイクロろ過器７１，７１の寿命がくるまで、独立して、給水が行なえるようにしている。と同時に、フィルタハウジング７２にＭＦフィルタ７３を収めて使用するか、図７に示されるようにフィルタハウジング７２からＭＦフィルタ７３を取外して使用するかにより、すなわちＭＦフィルタ７３の有・無の選択により、処理水の水質が選択、つまり飲料水に適した水質や、飲料水ほどの品質を必要としない生活用水（手洗いなど）に適した水質の水に切り換えられるようにしている。なお、７９は配管部材７８に設けた点検用の圧力計を示す。
【００３１】
一方、図３、図４および図６中８０は、手動式ポンプ装置である。手動式ポンプ装置８０は、図４および図６に示されるように逆止弁５３をバイパスさせるように、流路３３に組み付けてある。すなわち、浄水器４０から上流側、詳しくは逆止弁５３までの流路部分には、分岐部材、例えばＴ形配管部８１が組み込んであり、同部分に上方へ立ち上がる分岐部８２を形成している。この分岐部８２には、流路切換え用弁として例えばボール弁８５（常時が「閉」器本願の切換手段に相当）を介装した直立配管８６、手動操作式ポンプとしての例えば手押しポンプ８７、継ぎ部材８８、耐圧ホース８９が順に接続される。最終のホース端は、圧力・流量センサー部５５から下流側の流路３３部分、例えば配管部材６７に形成したＴ形配管部９０に接続されている。つまり、浄化ユニット３０に、手押しポンプ８７が介装されたバイパス路８７ａを組み付けている。この構造により、水中ポンプ３を用いた浄化給水が期待できないときは、ボール弁８５を開けて、手押しポンプ８７を繰り返し操作することにより、逆止弁５３を切換え用弁として活用して、水源地１３から原水が汲み上げられるようにしている。
【００３２】
なお、図１中９５は、災害時に使用される非常用電源、例えばエンジン駆動式発電機であり、同発電機９５から、インバータ５６を通じて、給水運転に必要な水中ポンプ２の電力が供給されたり、滅菌器６０の作動に必要な電力が供給されるようにしている。
【００３３】
つぎに、このように構成された緊急用浄化装置１の作用について説明する。
【００３４】
今、地震などの災害が起こり、臨時の措置として、図２に示されるように水槽を水源地１３として、水槽に貯溜された貯溜水を飲用水として供給するが決まったとする。
【００３５】
このときには、図２に示されるように水中ポンプ２を、耐圧ホース１４とつないだまま、水槽の水底に配置する。また浄化ユニット３０を給水に適した場所へ運んで設置する。なお、このときボール弁８５は「閉」にしてある。
【００３６】
この後、非常電源、ここでは例えばエンジン式発電機９５から、浄化ユニット３０の各部（インバータ５６や各種制御機器など）へ給電する。その後、蛇口３２ａ，３２ａを利用したとする。すると、水中の水中ポンプ２は、圧力・流量センサー部５５からの流量信号を受けて行なわれる制御部５８の制御により、運転が開始される。
【００３７】
これにより、水槽内の貯溜水は、水中モータ３で駆動される多段ポンプ部４（自吸は不要）により、ネット部材１２、スクリーン部材１１を通じて、吸込口５へ吸い込まれる。このとき、ネット部材１２、スクリーン部材１１により、吸い込まれる原水には、木の葉などの大きなごみや異物が取り除かれる。
【００３８】
大きな異物が除去された原水は、ポンプ部４を経るうちに徐々に加圧される。そして、最終段まで加圧された原水が、吐出口体９から、耐圧ホース１４、ニップル部材３１ａを通じて、地上に置かれている浄化ユニット３０の浄水器４０へ圧送される。
【００３９】
このとき原水は、ポンプ吸込水でなく、ポンプ吐出水で、浄化ユニット３０へ供給されるので、取水地と浄化ユニット３０と間の距離が、どのように離れていても、十分な供給量が浄化ユニット３０へ供給される。
【００４０】
浄化ユニット３０では、水中ポンプ２からの原水が、まず、浄水器４０へ供給される。そして、この原水が、浄水器４０を通過する間に、浄水器４０のろ材（不織布フィルタ４２ａ，活性炭フィルタ４２ｂ）により、原水に含まれるごみや有機物や濁度成分が取り除かれる。同浄水器４０で処理された処理水は、一部はアキュームレータ５４に蓄えられ、大部分は自動運転ユニット５０のセンサーモジュール５１を通じて、滅菌器６０の注入モジュール６１へ送られる。そして、処理水が、注入モジュール６１を通過する間に、該処理水へ、薬液注入部６６から薬液タンク６２内の薬液が注入される。これにより、処理水は、該処理水に含まれる一般細菌などが滅菌され、若干の飲用に耐える、主に生活用水（手洗いや洗浄水など）に適した水質に浄化される。
【００４１】
続いて、処理水は、それぞれマイクロろ過器７１，７１へ導かれる。そして、最終段となる個別のＭＦフィルタ７３にて、処理水に残存する微少な色度成分や微少な有機物が取り除かれる。これにより、処理水は、飲用水に適した水質に浄化される。そして、この水質の水が、各蛇口３２ａ，３２ａから個別に出水される。
【００４２】
ここで、こうした出水が続き、浄水器４０が、ごみや濁度成分により詰まりが生じたとする。
【００４３】
このままでは、浄水器４０は、浄水性能に余裕があるにもかかわらず、流通抵抗の増大により、浄水器４０の二次側の処理流量が低下する挙動を示すようになる。
【００４４】
このとき、圧力・流量センサー部５５により、浄水器４０から二次側の圧力が、先に詰まりにより低下した状況を検出したとする。すると、制御部５８は、例えば予め設定された設定圧力値と検出した圧力値との差にしたがい水中ポンプ２の運転周波数を可変するインバータ５６の制御により、水中ポンプ２の運転回転数を高める。このインバータ制御により、浄水器４０から二次側の処理流量は回復する。こうした水中ポンプ２の運転回転数の制御（インバータ制御）により、浄水器４０から二次側の圧力は一定に保たれる。これにより、たとえ浄水器４０が詰まり始めても、浄水能力が有る間は、浄水器４０から二次側からの浄水流量の低下は抑えられる。
【００４５】
それ故、蛇口３２ａ，３２ａからは、どのような詰まり状況でも浄水能力が確保されている間は、一定な出水流量が約束できる。特に取水ポンプは、水中ポンプ２を採用して、吐出圧力下で、浄化ユニット３０へ原水を圧送するようにしたので、水源地１３から浄化ユニット３０までが、どのような距離で離れていても、十分な取水量が約束できる。しかも、水中ポンプ２の吸込口５は、複数重のフィルタ部１０により、吸い込まれる異物を初期段階でかなり減少させているので、水中ポンプ２と浄水器４０の負担が大幅に軽減できる。
【００４６】
また蛇口３２ａ，３２の上流にマイクロろ過装置７０を設けたことにより、飲料水に適するといった優れた水質の水が確保できる。特にマイクロろ過装置７０は、蛇口３２ａ，３２ａの上流側に配置するというレイアウトを採用したことで、たとえ浄化ユニット３０の運転が停止してマイクロろ過装置７０の内部に長時間、処理水が滞留しても、滞留した処理水は滅菌処理された水となる。このため、滞留した水が雑菌の影響を受けることはなく、衛生上に優れた出水が約束できる。
【００４７】
しかも、マイクロろ過装置７０は、フィルタハウジング７２内に脱着可能にＭＦフィルタ７３を収めるマイクロろ過器７１を活用して、飲料水に好適な水質を得るときは、ＭＦフィルタ７３を組み付け、飲料水ほど水質が必要でない生活用水のときは、図７に示されるようにフィルタハウジング７２内からＭＦフィルタ７３を抜き取って使用するようにしたので、寿命に限りがあるＭＦフィルタ７３をできる限り長く利用しながら、必要な水質の水を出水することができる。特に複数のマイクロろ過器７１に個別に蛇口３２ａ（出水部）を設けたことにより、ＭＦフィルタ７３を十分に寿命がくるまで使用できる。
【００４８】
そのうえ、浄化ユニット３０には手押しポンプ８７が装備されているので、たとえ水中ポンプ２の故障や非常用電源の停電（故障による）などにより、水中ポンプ２による取水ができなくなったときには、手押しポンプ８７の手動操作で、水源地１３から取水、さらには浄化ができ、応急的に必要な水の確保ができる。しかも、手押しポンプ８７は、自動運転に必要な逆流防止用の逆止弁５２をバイパスさせて設けてあるので、浄水器４０の二次側の逆止弁５３は、そのまま手押しポンプ８７を使用するときの流路切り替え弁として利用することができ、手押しポンプ８７の切換えは、入・出側の２種類の弁を必要とせず、入り側のボール弁８５（切換弁）だけでよく、切換え必要な弁などは最小限に抑えられる。このため、コスト的に安価ですむ。
【００４９】
なお、本発明は上述した一実施形態に限定されるものではなく、本発明の主旨を逸脱しない範囲内で種々変更して実施しても構わない。例えば一実施形態では、浄水器の二次側に、自動運転ユニット、滅菌器の順で配置した例を挙げたが、これに限らず、滅菌器、自動運転ユニットの順で配置しても構わない。また一実施形態では、非常電源を構成するエンジン駆動式発電機は、可搬台車とは、別に据え付けたが、これに限らず、エンジン駆動式発電機を可搬台車に搭載してもよい。
【図面の簡単な説明】
【００５０】
【図１】は本発明の一実施形態に係る緊急用浄化装置を概略的に示す図。
【図２】同装置の取水ポンプを、水源地に据え付ける状態と共に示す断面図。
【図３】同装置の浄化ユニットの全体を示す斜視図。
【図４】同装置の図３中のＡ矢視方向から見た平面図。
【図５】同装置の図３中Ｂ−Ｂ線から見た側面図。
【図６】同装置の図３中Ｃ−Ｃ線から見た側面図。
【図７】ＭＦフィルタを抜き出したマイクロろ過器を用いて出水するときを示す側面図。
【符号の説明】
【００５１】
１…水中ポンプ、１１，１２…スクリーン部材，ネット部材（フィルタ部）、３０…浄化ユニット、３１…流入口、３２ａ…蛇口（出水部）、３３…流路、４０…浄水器、５３…逆止弁、５５…圧力・流量センサ部（圧力センサ、流量センサ）、５８…制御部（制御手段）、６０…滅菌器、７０…マイクロろ過装置、７１…マイクロろ過器、７２…フィルタハウジング、７３…ＭＦフィルタ（フィルタカートリッジ）、７８…配管部材（接続部）、８５…ボール弁（切換手段）、８７…手押しポンプ（手動操作式ポンプ）、８７ａ…バイパス路。
【図１】
2006122832.tif 000003
【図２】
2006122832.tif 000004
【図３】
2006122832.tif 000005
【図４】
2006122832.tif 000006
【図５】
2006122832.tif 000007
【図６】
2006122832.tif 000008
【図７】
2006122832.tif 000009